(57)【要約】【課題】長時間の移動時において、少なくとも靴を脱いだだけで靴の締め付けから開放され、リラックスできる。前記を目的とした足置きは数種市販或いは考案されているが、携帯性に問題がある。【解決手段】厚さ数ｍｍのクッション材の両面に樹脂系フィルムを溶着した行楽用シート或いは厚紙シートを縦辺の長さＬは、紙規格Ｂ４サイズの短辺の長さ２５７ｍｍより短く、横辺の長さＷは紙規格Ｂ４サイズの長辺の長さ３６４ｍｍより短い概略長方形に裁断し、前記シートの横辺の中央で二つ折にして、折りたたみ状態で内寸法が紙規格Ｂ５のバッグに収納できることを特徴とする足置きシートである。【選択図】図３
2014083400.tif 000002
【特許請求の範囲】
【請求項１】
航空機ならびに列車ならびにバス旅行時に足元に敷き、靴を脱いで足を載せる足置きシートであって、
厚さ数ｍｍのクッション材の両面に樹脂系フィルムを溶着した行楽用シート或いは厚紙シートを縦辺の長さが紙規格Ｂ４サイズの短辺の長さ２５７ｍｍより短く、横辺の長さが紙規格Ｂ４サイズの長辺の長さ３６４ｍｍより短い概略長方形に裁断したシートの平面の概略中心にて直交し前記シートの長手方向に平行な長軸と、前記長軸に直交する短軸を設け、前記短軸に沿って二つ折りにし、折りたたみ状態で紙規格Ｂ５サイズが収納可能な小型のバッグに収納できることを特徴とする足置きシート。
【請求項２】
航空機ならびに列車ならびにバス旅行時に足元に敷き、靴を脱いで足を載せる足置きシートであって、
厚さ数ｍｍのクッション材の両面に樹脂系フィルムを溶着した行楽用シート或いは厚紙シートを縦辺の長さが紙規格Ｂ４サイズの短辺の長さ２５７ｍｍより短く、横辺の長さが紙規格Ｂ４サイズの長辺の長さ３６４ｍｍより短い概略長方形に裁断した２枚のシートの各々に、シートの平面の概略中心にて直交し前記シートの長手方向に平行な長軸と、前記長軸に直交する短軸を設け、前記短軸に沿って二つ折りにした後、二つ折りした前記２枚のシートをそれぞれの折り返し辺を揃えて２段に重ね、二つ折りした前記２枚のシートの重ね面を接合し、折りたたみ状態で紙規格Ｂ５サイズが収納可能なバッグに収納できることを特徴とする足置きシート。
【請求項３】
航空機ならびに列車ならびにバス旅行時に足元に敷き、靴を脱いで足を載せる足置きシートであって、
厚さ数ｍｍのクッション材の両面に樹脂系フィルムを溶着した行楽用シート或いは厚紙シートを短辺が３６４ｍｍ以下かつ長辺が５１４ｍｍ以下の概略長方形に裁断したシート
の表面側に、前記シートの概略中心を交点とし、前記シートの長手方向に平行な長軸と、前記長軸に直交する短軸を設け、前記長軸を山折り線に、前記短軸の片側半分を切り込み、前記短軸の残り半分を谷折り線とし、
先ず前記シートを前記山折線に沿った山折によって二つ折にし、次に二つ折りになったシートを谷折線に沿って谷折し、折りたたみ状態で紙規格Ｂ５サイズが収納可能なバッグに収納できることを特徴とする足置きシート。
【請求項４】
請求項１から請求項３に記載した足置きシートにおいて、
展開した足置きシート上に少なくとも１個の足指を引っ掛け床面上を移動するための移動用孔或いは窪みを設けたことを特徴とする請求項１から請求項３のいずれかに記載した足置きシート。
【請求項５】
請求項１から請求項３に記載した足置きシートにおいて、
展開した足置きシート上の縁辺部に少なくとも１個の切り取り形式の簡易靴ベラを設けたことを特徴とする請求項１から請求項３のいずれかに記載した足置きシート。
【請求項６】
請求項１から請求項３に記載した足置きシートにおいて、
折りたたみ状態にて四隅の角部を直角三角形又は円弧状に切り取ったことを特徴とする請求項１から請求項３のいずれかに記載した足置きシート。
【発明の詳細な説明】
【技術分野】
【０００１】
本発明は、航空機ならびに列車ならびにバス旅行時に足元に敷き、靴を脱いで足を載せる足置きシート（又は足置きマットとも呼ばれる）であり、散歩時にベンチや芝生に敷きズボン等の汚れを防止する座布団用マットとしても使用できる携帯用の敷物に関する。
【背景技術】
【０００２】
従来、航空機の高級クラスの座席には、足を高く保持できる足置き台が設備され、かつ靴を脱いだときに使用するスリッパが支給されることが多いが、航空機のエコノミークラス、列車、バスの場合、通常はそれらのサービスが付いていない。一方、長時間の移動時は、靴を脱いだだけで靴の締め付けから開放され、リラックスできる。
携帯用の足置き台又はマットは、数種、市販或いは考案されているが、いずれも床面より足を高くすることにこだわり立体形状をしている。この場合、嵩張りかつ重くなり、携帯性に問題がある。
【０００３】
立体形状で携帯性にも優れている足置き台を目的として、下記に示す特許文献３と４がある。特許文献３と４は、空気袋にエアーを注入し立体的な足置き台を形成している。しかしながら空気袋を膨らませる専用のエアーポンプの携行は嵩張る他、口で膨らませるのは容易でない。
【０００４】
一方、前述したように、靴を脱いだだけでも靴の締め付けから開放されることと足が蒸れることがなくなることから、新聞紙や週刊誌を足元にひいている光景を良く見かける。ただし、この方法は、足元が見た目不潔となり周囲に不快感をあたえる他、最終的には新聞紙や週刊誌がごみになり、清掃も大変になる。又、新聞紙（朝刊１セット）のクロス３回折り（面積８分の１）及び週刊誌は、一般的に紙規格Ａ４サイズでありセカンドバッグには入らない場合が多い他、重量的に３００ｇを超える場合が多い。
【０００５】
特許文献１は、複数の概略長方形マットを収縮自在に結束して立体的な足置き台を形成し、かつ防臭機能を付加したものである。
特許文献２は、合成樹脂のフィラメントを三次元的に交絡してなる立体網状マットを携帯に適する形状に裁断して形成した携帯マットである。
特許文献３と４は、空気袋にエアーを注入する足置き台である。
【先行技術文献】
【特許文献】
【０００６】
【特許文献１】特開平１１−１１３７２１号公報
【特許文献２】特開平１１−２３９５２５号公報
【特許文献３】特開２０００−１３９６１９号公報
【特許文献４】特開平７−１２４２０２号公報
【発明の概要】
【発明が解決しようとする課題】
【０００７】
旅行、散歩時の足置きシートは、携帯性が最も重要である。
この観点から、前記足置きシートの必要条件は、旅行用や外出用のセカンドバッグとして最も普及している紙規格Ｂ５サイズが収納可能な小型のバッグに収納でき、かつ軽量で常時携行することが苦にならないことと考えられるが、上記を満たす実用的な足置きシート兼簡易マットは存在しない。
【課題を解決するための手段】
【０００８】
請求項１は、厚さ数ｍｍのクッション材の両面に樹脂系フィルムを溶着した行楽用シート或いは厚紙シートを長辺が３６４ｍｍ以下かつ短辺が２５７ｍｍ以下の概略長方形に裁断し、前記シートの平面の中心にて直交し前記シートの長手方向に平行な長軸と、前記長軸に直交する短軸を設け、前記短軸に沿って二つ折りにし、折りたたみ時に紙規格Ｂ５サイズが収納可能な小型のバッグに収納できることを特徴とする足置きシートである。
【０００９】
旅行や外出に携帯するセカンドバッグの正面からの投影面は紙規格Ｂ５サイズより大きく、紙規格Ａ４サイズより小さいものが圧倒的に多い。このため例えば紙規格Ｂ５サイズ以下のノートは楽に収納できるが、紙規格Ａ４サイズのノートは、折り曲げないと入らない。
一方、足置きに使用するシートの大きさは、足を揃えて使い、足の向き方向（縦）を短辺とすると、紙規格Ｂ５サイズ（１８２ｍｍ＊２５７ｍｍ）では１８２ｍｍと小さい。このため紙規格Ｂ５サイズが収納可能な小型のバッグに収納でき、かつ軽いという携帯性を第一義とすると、２つ折が不可欠となる。即ち、長辺が３６４ｍｍかつ短辺が２５７ｍｍ以下の概略長方形のシートの２つ折で前記目的は達成できる。
【００１０】
前記概略長方形とは、数学的な長方形と、厳密な長方形でなく長方形に近い例えば長方形の４隅の角を面取り的に斜辺が５０ｍｍ程度の直角三角形状或いは円弧状に切り取った、もの、台形、多角形、ハート形等であって長方形に近いものを総称している。上記概略長方形のシートにて同等の効果が得られる。特に２つに折りたたんだ後、４隅の角部を斜辺が５０ｍｍ程度の直角三角形状或いは円弧状に切り取ったほうが、バッグに入れやすく、より望ましい。この場合足置きとして機能上の問題は発生しない。
【００１１】
請求項２はシートの汚れとバッグの衛生に対する対策である。使用時、当然のことであるが、シートは床に置き、上面に足を乗せる。このため足置きシートは、下面は泥等により汚れ、上面も多少なりとも不潔になることは否めない。したがって２つ折にしてそのままバッグに収納するのは衛生的に問題である。勿論専用の袋を用意し、これに入れた上でバッグに収納すれば問題ないが、概して収納袋は紛失し易く、実用的にはないほうが好ましい。
【００１２】
具体的対策を以下に記す。厚さ数ｍｍのクッション材の両面に樹脂系フィルムを溶着した行楽用シート或いは厚紙シートを長辺が３６４ｍｍかつ短辺が２５７ｍｍ以下の概略長方形に裁断した２枚のシートの各々に、シートの平面の中心にて直交し前記シートの長手方向に平行な長軸と、前記長軸に直交する短軸を設け、前記短軸に沿って二つ折りにし後、２枚の二つ折りされたシートを、折り返し辺を揃えて２段に重ね、重ね面或いは折返し辺部を接合し、折りたたみ時に紙規格Ｂ５サイズが収納可能小型のバッグに収納できることを特徴とする足置きシートである。
前記足置きシートでは、使用時は展開して使い、格納時は使用した上下面が内側になるように折りたたむことができる。このため折りたたんだ状態のシートの最上面と最下面は、床や足が接してない清潔な面となる。したがって、専用の収納袋なしでもバッグに入れることができる。
【００１３】
請求項３は、厚さ数ｍｍのクッション材の両面に樹脂系フィルムを溶着した行楽用シート或いは厚紙シートを短辺が３６４ｍｍ以下かつ長辺が５１４ｍｍ以下の概略長方形に裁断したシートの表面側に、
前記シートの概略中心を交点とし、前記シートの長手方向に平行な長軸と、前記長軸に直交する短軸を設け、前記長軸を山折り線に、前記短軸の片側半分を切り込み、前記短軸の残り半分を谷折り線とし、
先ず前記シートを前記山折線に沿った山折によって二つ折にし、次に二つ折りになったシートを谷折線に沿って谷折することによって、折りたたみ時に紙規格Ｂ５サイズが収納可能な小型のバッグに収納できることを特徴とする足置きシートである。
【００１４】
これにより、足が大きい場合にも対応できる十分大きな足置きマットを提供できる。切り込みを入れることによって通常のクロス折で生じる２枚重ねの折り返し部がなくなり、折り返し部のふくらみを回避できる他、展開して使用するとき汚れやすい裏面が内側に折りたたまれる。
【００１５】
請求項４は、請求項１から請求項３に記載した足置きシートにおいて、展開した足置きシート上に少なくとも１個の足指を引っ掛け床面上を移動するための移動用孔或いは窪みを設けたことを特徴としている。これにより座ったまま、足置きシートが姿勢に合わせた適当な位置になるように足先にて自由に移動できる。
【００１６】
請求項５は、請求項１から請求項３に記載した足置きシートにおいて、展開した足置きシート上の縁辺部に少なくとも１個のシート状の靴ベラを切り取ることができるミシン目加工等を施したことを特徴としている。これによって、必要に応じて切り取り靴ベラを手にすることができる。また、靴ベラを切り取った後出現する孔は、シートの移動用の孔として利用することもできる。
【００１７】
請求項６は、請求項１から請求項３に記載した足置きシートにおいて、折りたたみ状態にて四隅の角部を直角三角形又は円弧状に切り取ったことを特徴としている。これによってより小型バッグへの出し入れが容易になる。
【発明の効果】
【００１８】
広く普及している足置き台は、携帯性に難がある。本考案によれば、重さは数十グラム、折りたたんだ時の平面的な大きさは紙規格Ｂ５サイズ以下、厚さは１０ｍｍ以下となり、折りたたみ時に紙規格Ｂ５サイズが収納可能な小型のバッグに収納できる携帯性に優れた足置きシートが実現できる。折りたたみ方式のため特に汚れやすい面（床面側）を内側に折り込み、比較的汚れの少ない面（足側）を表側に出すことができる。
【００１９】
更に発展形として使用した両面を内側に折り込み、未使用面を表面に出す構成も提案した。前記により紛失し易い別の袋等を用いることなくバッグに収納できる。又、足置きシートに設けた移動用の孔を使い床面に敷いた足置きシートを足指にて、姿勢に合わせて容易にずらすことができる。更に、足置きシートに設けた切り取り形式の靴ベラは、靴を履く時極めて有効である。移動用の孔と切り取り形式の靴ベラは、実際の使用において大変便利であり、実用性を高めている。足置きシートの材質は普及品でありかつ加工も容易であるため、製造コストは安く、安価で提供できる。
【図面の簡単な説明】
【００２０】
【図１】実施例１の斜視図である。
【図２】実施例１の折りたたみ時の斜視図である。
【図３】実施例２の斜視図である。
【図４】実施例２の展開時の斜視図である。
【図５】実施例２の折りたたみ時の斜視図である。
【図６】実施例の部分接合の説明図である。
【図７】実施例３の展開時の斜視図である。
【図８】実施例３の折りたたみ１の斜視図である。
【図９】実施例３の折りたたみ２の説明図である。
【図１０】実施例３の折りたたみ２後の斜視図である。
【図１１】切り取り靴ベラ部の拡大図である。
【図１２】折りたたみ状態での四隅切り取り説明図である。
【図１３】図１２の展開図である。
【発明を実施するための形態】
【実施例】
【００２１】
本発明の実施例１の斜視図を図１に、実施例１の折りたたみ時の斜視図を図２に、実施例２の斜視図を図３に、実施例２の展開時の斜視図を図４に、実施例２の折りたたみ時の斜視図を図５に、実施例２の部分接合の説明図を図６に、実施例３の展開時の斜視図を図７に、実施例３の折りたたみ１の斜視図を図８に、実施例３の折りたたみ２の説明図を図９に、実施例３の折りたたみ２後の斜視図を図１０に、切り取り靴ベラ部の拡大図を図１１に、折りたたみ状態での四隅切り取り説明図を図１２に、図１２の展開図をしめす。
【００２２】
実施例１について、以下に説明する。
図１に示すように足置きシート１は、縦辺１７，横辺18、厚さＴの横長の概略長方形のシートで、シート平面の概略中央点を通り縦辺１７に平行な折辺線９（２点鎖線）を設けてある。縦辺の長さＬは、紙規格Ｂ４サイズの短辺の長さ２５７ｍｍより短く、横辺の長さＷは紙規格Ｂ４サイズの長辺の長さ３６４ｍｍより短い。使用時は展開した状態で足置きシート１を足元に敷く。足置きシート１の方向は原則として縦辺１７の方向を体の向きと概略一致させる。
【００２３】
又、シートの形状は、図１２に示すよう折りたたんだ状態で四隅の角部を直角三角形状或いは円弧状に切り取っても良い。上記シートを展開すると図１３のようになる。図１３からわかるように足置きの機能としては全く問題が生じないだけでなく、図１２からわかるように角がとれて小型バッグへの収納が容易になる。上記切り取りは例えば直角三角形の斜辺が１００ｍｍ以下であれば使用上差し支えなく、望ましくは５０ｍｍ程度である。シート中央に生じた直角三角形状或いは円弧状切り取り端のノッチ部には、応力分散孔２４が設けてある。これは繰り返しの折り曲げにより、ノッチ部から折辺線に亀裂が入ることを軽減するためである。
【００２４】
一般に大人の足のサイズは２５０ｍｍ前後なので足置きシートの縦辺の長さＬは、ほぼ同等の長さとなる。もし足がシートをはみ出す場合、シートを体の向きに対して傾けて使用する或いは体の向きに横辺（長辺）１８の方向にあわせ２枚のシートを使用する等にて対処できる。又、乗車姿勢との関連で気になる場合は、少し斜めに置く或いは横辺１８側を体の向きに合わせることもできる。尚、厚さＴは容易に手に入る行楽シートと同じ３−５ｍｍ程度である。
【００２５】
バッグへの収納時は、図１の折辺線９に沿って山折りにし、図２に示すように折りたたむ。この時図２に示した横辺２の長さＷ２は、図１の横辺（長辺）の長さＷの寸法の半分、すなわち１８２ｍｍより短くなる。図１に示す縦辺の長さＬの寸法は、変化せず２５７ｍｍ以下である。したがって折りたたんだ状態のシートの平面寸法は、最大で紙規格Ｂ５サイズと同等になり紙規格Ｂ５サイズ収納可能なバッグに収納できる。また折りたたんだとき開かないように雄形ホック１０と雌形ホック１１とを嵌め合わせる。
【００２６】
又、展開したシートの４隅のうち２箇所に概略２０ｍｍの移動用孔１２が設けてある。移動用孔１２はこの孔に足指の親指等を引っ掛けてシートの位置をずらすためのものである。手でシートを移動させようとすると、かがんでシートをつかむ等窮屈な動作が必要となる。移動用孔１２に足指裏を引っ掛けた場合、床面のすべりが悪いときであってもシートを容易に移動させることができる。移動用孔１２は１個所以上有ればよく、数にはこだわらない。又、孔は貫通してない窪み状でも同様の効果がある。
【００２７】
更に、図１１に示すように、足置きシートの縁辺部の一部に例えばミシン目加工等による切り取り靴ベラ２５を設けることにより、より便利な足置きシートを構成できる。旅行時、乗客は時々靴を履く必要性が生じる。この時、靴ベラを所持していない場合には、足置きシートの一部に設けられている切り取り靴ベラ２５を切り取り、簡易靴ベラとして使用することができる。
前記足置きシートは、一般的な行楽シートと同等の材質によって、５０ｇ以下にて製作できる。
【００２８】
実施例２について以下に説明する。
図３と図４に示すように横辺18の中央に縦辺１７と平行な折辺線９（２点鎖線）を有する概略長方形の２枚のＡシート２ならびにＢシート３により構成され、２枚のシートはそれぞれの裏面を合わせて重ねられ折辺線９を境にする半面が接合されている。尚、Ａシート２とＢシート３の平面寸法は、実施例１と同様縦辺の長さＬは、紙規格Ｂ４サイズの短辺の長さ２５７ｍｍより短く、横辺の長さＷは紙規格Ｂ４サイズの長辺の長さ３６４ｍｍより短い、それぞれの厚さについては２枚重ねとなるため、実施例１よりも薄くても良い。
【００２９】
図４は実施例２の足置きシート１を展開した状態を示している。展開した状態で足元に敷き、足置きシートとして使用する。図５は前記の足置きシート１を折りたたんだ状態を示している。上面のＡシート２は上側に、下面のシート紙規格Ｂ３は下側に折り曲げられる。横辺Ｂの長さWｂは展開時の横辺の長さWの半分になるため、実施例１と同様平面寸法は紙規格Ｂ５サイズ以下となり、紙規格Ｂ５サイズのバッグに収納できる。
【００３０】
折りたたんだシートの最表面は、表、裏とも清潔である。何故なら使用時（展開時）のシートの両表面は、図３に示すＡシートの表５とＢシートの表７となる。すなわち２枚のシートの表のみが床或いは足裏に接し汚れることになる。ところが前記両シートの表面側は内側に折りたたまれるため、折りたたみ状態での表面は、清浄なＡシートの裏面６が上面に、Ｂシートの裏面８が下面となる。ホックＡ１０（雄形）とホックＢ１１（雌形）は、Ａシート２とＢシート３のそれぞれに設けられており、折りたたみを保持することができる。
尚、前記実施例２では、Ａシートの半面とそれに対応するＢシートの半面を接合したが、図６に示すように２枚のシートの折辺線９に沿った部分のみを接合しても同等の足置きシート１が成立する。
又、実施例１と同様、折りたたんだ状態で四隅の角部を直角三角形状或いは円弧状に切り取っても良い。
【００３１】
実施例３について以下に説明する。
実施例１において、足方向の縦辺の長さLは最大で紙規格Ｂ４サイズの短辺寸法２５７ｍｍとなる。この寸法は日本人の平均的な大人（男子）の足の寸法と同等である。したがって、大きい人では足先がはみ出すことがある。前記課題は、例えば紙規格Ａ３サイズのシートを使用すれば解決することができるが、先ず２つ折りにしたシートを更にクロス折にしなければ紙規格Ｂ５サイズのバッグには収納できない。しかしながら厚手のシートのクロス折は２回目の折り返しが２枚重ねになるため、膨らみ、折り返し難く、問題である。本実施例はこれに対処するものである。
【００３２】
図７に示すように足置きシート１は、縦辺Ｃ２０の長さがLｃ、横辺Ｃ２１の長さがWｃ、厚さＴの概略長方形のシートである。前記概略長方形シートの縦辺Ｃ２０の中央から対向する縦辺へ向かって、横辺Ｃ２１に平行な線を引き、前記線上に沿って左側縦辺Ｃ２０からシート中央点まで切り込みを入れ（実線）、連続する線上右側半分を谷折線（２点鎖線）とする。又、切り込みの先端（シートの概略中央部）には、応力分散孔２４が設けてある。これは切り込みに続く谷折部が繰り返しの折り曲げで切断するのを防ぐためである。更に横辺Ｃ２１の中央から対向する横辺へ向かって、縦辺Ｃ２０に平行な山折線（２点鎖線）が設けられている。又、展開したシートの４隅のうち２箇所に概略２０ｍｍの移動用孔１２が設けてある。
【００３３】
折りたたみについて、詳述する。折りたたみ方には２つの方法がある。第１の方法は先ず前記シートを前記山折線Ａ１５と山折線Ｂ１６に沿った山折によって２つ折りにし、次に２つ折りになったシートを谷折線１４に沿って谷折りすることによって達成される。第２の方法は、まず図７に示す谷折線１４で谷折りする。２つ折り状態を図８に示す。次に図９で示すように上側になったシートは山折線Ｂ１６で矢印の向き（図中時計回り）に、下側になったシートは反時計回りに折り返すことで達成される。折りたたまれた状態を図１０に示す。
【００３４】
尚、折りたたみ方について、請求項３には第１の方法のみを記載してあるが第２の折りたたみ方でも同等であり、第１の方法のみに限定しない。前述した２つの折りたたみ方のいずれでも、折りたたみ時の最表面および最裏面は、展開時の表面と同じになる。このことは実用上重要である。何故なら一般に、床面に接した面（展開時裏面）は汚れがひどい。上記の折り返しによれば床面に接した面（展開時裏面）が内側になるため、収納時にバッグ内を汚すことが少ない。
【００３５】
前述した折りたたみによれば、図10に示す折りたたみ後のシートの横辺２３の長さＷｄは元の横辺Ｃ２１の長さＷｃの２分１に、折りたたみ後のシートの縦辺Ｄ２２の長さＬｄは元の縦辺Ｃ２０の長さＬｃの２分１に、折りたたみ後のシートの面積は、展開時の面積の４分の１となる。即ち、展開時のシートの寸法が短辺（前記横辺）の長さが３６４ｍｍ以下かつ長辺（上記縦辺）の長さが５１４ｍｍ以下であれば折りたたんだ状態で紙規格Ｂ５サイズ（１８２ｍｍ＊２５７ｍｍ）のバッグに収納できる。
【００３６】
尚、例えば紙規格Ｂ３サイズを紙規格Ｂ５サイズにするには、紙規格Ｂ３サイズの長辺の中点を通り短辺に平行な線に沿って折り返し紙規格Ｂ４サイズとし、更に紙規格Ｂ４サイズの長辺の中点を通り短辺に平行な線に沿って折り返すクロス折にて簡単に達成することができる。しかしながら前述したように厚手のシートのクロス折は２回目の折り返し部が２枚重ねになるため、膨らみ、折り返し難い。本発明では、シートの片側の長辺の中央点から対向する長辺の中央点に向かう直線に沿ってシート平面中心まで切り込みを入れることによって折り返し部が２枚重ねになること回避している。
【００３７】
折りたたみの保持は、実施例１と同様のホック或いはバンド等にて行うことができるが特に規制しない。
図７に示すように、展開時のシート平面の中央に応力分散２４が設けられている。この位置は、切り込み１３の終端であり、切り込みが谷折線１４に延伸することを防いでいる。
又、実施例１で示した様に、折りたたんだ状態で四隅の角部を直角三角形状或いは円弧状に切り取っても良い。
【００３８】
本発明は、真に使いやすく、広く使われる足置きシートはどうあるべきかについて徹底的に研究、検討した結果として携帯性を最重要視し、軽くかつ広く普及している紙規格Ｂ５サイズが収納可能な小型バッグに収納できる寸法となる折りたたみ方式を提案している。一方、折たたみ方式によれば平面的寸法は如何様にでも小さくすることができるが、折りたたみ数が多くなると厚みが増してくる。また、厚みのあるシートの場合、２方向からの折りたたみ（クロス折）は２回目以降の折り返し辺が膨らみ嵩張る要因となる。前記理由により携帯性重視の観点から折りたたみ数を無制限に多くすることは、良いとは言えない。又、実施例１から実施例３の足置きシートにおいて、展開時の４隅の角部を円弧状等に切欠くことは、バッグへ収納しやすくなり有効である。
【産業上の利用可能性】
【００３９】
携帯性に優れ、かつ安価な足置きシートを提供できる。取り扱いやすく極めて実用的である。
【符号の説明】
【００４０】
１    足置きシート
２    Ａシート
３    Ｂシート
４    接合部
５    Ａシートの表面
６    Ａシートの裏面
７    Ｂシートの表面
８    Ｂシートの裏面
９    折辺線
１０    ホックＡ
１２    移動用孔
１１    ホックＢ
１３    切り込み
１４    谷折線
１５    山折線Ａ
１６    山折線Ｂ
１７    縦辺
１８    横辺
１９    横辺Ｂ
２０    縦辺Ｃ
２１    横辺Ｃ
２２    縦辺Ｄ
２３    横辺Ｄ
２４    応力分散孔
２５  切り取り靴ベラ
Ｌ      縦辺の長さ
Lｃ    縦辺Ｃの長さ
Lｄ    縦辺Ｄの長さ
Ｗ    横辺の長さ
Wｂ  横辺Ｂの長さ
Wｃ  横辺Ｃの長さ
Wｄ  横辺Ｄの長さ
Ｔ    厚さ
【図１】
2014083400.tif 000003
【図２】
2014083400.tif 000004
【図３】
2014083400.tif 000005
【図４】
2014083400.tif 000006
【図５】
2014083400.tif 000007
【図６】
2014083400.tif 000008
【図７】
2014083400.tif 000009
【図８】
2014083400.tif 000010
【図９】
2014083400.tif 000011
【図１０】
2014083400.tif 000012
【図１１】
2014083400.tif 000013
【図１２】
2014083400.tif 000014
【図１３】
2014083400.tif 000015